(57)【要約】【課題】各伝送装置間が光ファイバケーブルによって接続される光ネットワークシステムで発生した障害箇所を高精度に特定すること。【解決手段】各伝送装置１と、監視網を介して接続される監視装置４は、監視網を介して各伝送装置１から、各伝送装置１内の光信号の受光部における光レベルの測定値である光受信レベルを受信する情報伝送部４１と、各伝送装置１の光受信レベルが正常値か異常値かを判定し、２台の光受信レベルがともに異常値であるときには、光ファイバケーブルの故障と判断し、１台の光受信レベルが異常値であるときには、その異常値に該当する伝送装置１内の受光部の故障と判断する異常個所判断部４２と、を有する。【選択図】図２
2014027574.tif 000002
【特許請求の範囲】
【請求項１】
光波長多重方式で光信号が伝達される光ファイバケーブルで接続されている各伝送装置と、監視網を介して接続され、
前記監視網を介して前記各伝送装置から、前記各伝送装置内の光信号の受光部における光レベルの測定値である光受信レベルを受信する情報伝送部と、
前記情報伝送部から通知された前記各伝送装置の前記光受信レベルが正常値か異常値かを判定し、
互いに前記光ファイバケーブルで接続されている２台の前記伝送装置の前記光受信レベルがともに異常値であるときには、その２台の前記伝送装置を接続する前記光ファイバケーブルの故障と判断し、１台の前記伝送装置の前記光受信レベルが異常値であるときには、その異常値に該当する前記伝送装置内の前記受光部の故障と判断する異常個所判断部と、を有することを特徴とする
異常判断装置。
【請求項２】
前記異常個所判断部は、前記各伝送装置の前記光受信レベルが正常値か異常値かを判定する工程において、所定の正常範囲内の前記光受信レベルを正常値と判定し、前記所定の正常範囲外の前記光受信レベルを異常値と判定することを特徴とする
請求項１に記載の異常判断装置。
【請求項３】
前記異常個所判断部は、前記各伝送装置の前記光受信レベルが正常値か異常値かを判定する工程において、同じ前記受光部における前回の測定結果と今回の測定結果との差分が所定閾値を超えたときに、その今回の測定結果の前記光受信レベルを異常値と判定することを特徴とする
請求項１に記載の異常判断装置。
【請求項４】
前記情報伝送部は、さらに、前記監視網を介して前記各伝送装置から、前記各伝送装置内の光信号の発光部における光レベルの測定値である光送信レベルを受信し、
前記異常個所判断部は、前記光受信レベルの異常値の判定より前に、前記各光送信レベルが正常値か異常値かを判定し、異常値であるときには、その異常値に該当する前記伝送装置内の前記発光部の故障と判断することを特徴とする
請求項１ないし請求項３に記載の異常判断装置。
【請求項５】
光波長多重方式で光信号が伝達される光ファイバケーブルで接続されている各伝送装置と、監視網を介して接続される異常判断装置により実行され、
前記異常判断装置は、
前記監視網を介して前記各伝送装置から、前記各伝送装置内の光信号の受光部における光レベルの測定値である光受信レベルを受信し、
前記各伝送装置の前記光受信レベルが正常値か異常値かを判定し、
互いに前記光ファイバケーブルで接続されている２台の前記伝送装置の前記光受信レベルがともに異常値であるときには、その２台の前記伝送装置を接続する前記光ファイバケーブルの故障と判断し、１台の前記伝送装置の前記光受信レベルが異常値であるときには、その異常値に該当する前記伝送装置内の前記受光部の故障と判断することを特徴とする
異常判断方法。
【発明の詳細な説明】
【技術分野】
【０００１】
本発明は、異常判断装置、および、異常判断方法に関する。
【背景技術】
【０００２】
光ネットワークシステムでは、各伝送装置間が光ファイバケーブルによって接続され、光信号に変換されたパケットが伝送される。１台の伝送装置内に１つ以上搭載される光モジュールは、接続される光ファイバケーブルを介して、伝送装置間で情報伝送を行う光信号送受信機である。
非特許文献１には、光波長多重方式（ＷＤＭ：Wavelength Division Multiplex）の機構を持つ光モジュールが、記載されている。ＷＤＭでは、双方向通信可能な１芯の光ファイバケーブルによって、光モジュール間が接続される。
【０００３】
光ネットワークシステムの構成要素（各伝送装置、各光モジュール、各光ファイバケーブル）は、ハードウェア部品なので、それぞれに故障などの障害が発生することもある。そのため、保守員が効率的に障害箇所を知ることを支援するため、光ネットワークシステム自身で機械的に障害箇所を診断する技術が、開示されている。
特許文献１には、通信回線に障害が発生しているか否かの自己診断をする回線試験部と、回線試験部が行う自己診断の結果を伝送装置と接続されるネットワーク監視装置に送信する送信部とを備える伝送装置が記載されている。
特許文献２には、光伝送路障害時、障害区間の両端のレピータの光折り返しスイッチで、光折り返し状態にすることで、障害箇所を切り分ける光伝送路が記載されている。
【先行技術文献】
【特許文献】
【０００４】
【特許文献１】特開２００９−２５３４７５号公報
【特許文献２】特開平３−２９６３３３号公報
【非特許文献】
【０００５】
【非特許文献１】ＩＥＥＥ  Ｓｔｄ  ８０２．３ａｈ
【発明の概要】
【発明が解決しようとする課題】
【０００６】
特許文献１，２などの従来の障害診断技術では、障害箇所の特定が不充分である。
まず、特許文献１では、各伝送装置が自身の回路内をループ試験することにより、故障箇所を推定している。しかし、複数の伝送装置をまたいだ異常が検出されるような故障（例えば、光ファイバケーブルの断線）を特定することは、できない。
次に、特許文献２では、データエラーを観測した伝送装置内の箇所により、送信部の故障と、受信部の故障とを区別して障害箇所の特定精度を向上させているが、受信部の故障と、その受信部へ光信号を流す光ファイバケーブルの故障とを区別していない。
【０００７】
そこで、本発明は、前記した問題を解決し、各伝送装置間が光ファイバケーブルによって接続される光ネットワークシステムで発生した障害箇所を高精度に特定することを、主な目的とする。
【課題を解決するための手段】
【０００８】
前記課題を解決するために、本発明の異常判断装置は、光波長多重方式で光信号が伝達される光ファイバケーブルで接続されている各伝送装置と、監視網を介して接続され、
前記監視網を介して前記各伝送装置から、前記各伝送装置内の光信号の受光部における光レベルの測定値である光受信レベルを受信する情報伝送部と、
前記情報伝送部から通知された前記各伝送装置の前記光受信レベルが正常値か異常値かを判定し、
互いに前記光ファイバケーブルで接続されている２台の前記伝送装置の前記光受信レベルがともに異常値であるときには、その２台の前記伝送装置を接続する前記光ファイバケーブルの故障と判断し、１台の前記伝送装置の前記光受信レベルが異常値であるときには、その異常値に該当する前記伝送装置内の前記受光部の故障と判断する異常個所判断部と、を有することを特徴とする。
その他の手段は、後記する。
【発明の効果】
【０００９】
本発明によれば、各伝送装置間が光ファイバケーブルによって接続される光ネットワークシステムで発生した障害箇所を高精度に特定することができる。
【図面の簡単な説明】
【００１０】
【図１】本発明の一実施形態に関する光ネットワークシステムを示す構成図である。
【図２】本発明の一実施形態に関する伝送装置および監視装置を示す構成図である。
【図３】本発明の一実施形態に関する正常時の状態を示す説明図である。
【図４】本発明の一実施形態に関する発光部の故障時の状態を示す説明図である。
【図５】本発明の一実施形態に関する受光部の故障時の状態を示す説明図である。
【図６】本発明の一実施形態に関するケーブルの故障時の状態を示す説明図である。
【図７】本発明の一実施形態に関する記憶部の内容を示す構成図である。
【図８】本発明の一実施形態に関する異常箇所判断処理を示すフローチャートである。
【発明を実施するための形態】
【００１１】
以下、本発明の一実施形態を、図面を参照して詳細に説明する。
【００１２】
図１は、光ネットワークシステムを示す構成図である。光ネットワークシステムは、複数の伝送装置１（伝送装置１ａ〜１ｄ）が、光ファイバケーブルを用いて隣接する他の伝送装置１と接続されて構成される。
さらに、監視装置４（異常判断装置）は、各伝送装置１を監視するため、監視網を介して各伝送装置１の光レベル（詳細は、図７など）を取得するとともに、その取得した光レベルをもとに、光ネットワークシステム内で発生した異常個所を特定する（詳細は、図８など）。
これらの光ネットワークシステムの各装置は、制御部（ＣＰＵ：Central Processing Unit）、記憶部（メモリ、ハードディスクなど）、および、通信部（ネットワークインタフェース）を備えるコンピュータとして構成される。
【００１３】
このように、各伝送装置１が自身の自己診断だけで異常箇所を特定する方式に比べ、異常箇所の特定機能を伝送装置１とは別装置の監視装置４として構成する方式により、伝送装置１から遠隔地の保守員が、伝送装置１の周辺に出向くことなく、障害箇所を特定することができる。さらに、複数の伝送装置１をまとめて１台の監視装置４が診断する方式であるので、各伝送装置１がそれぞれ独自に診断する方式に比べ、診断結果が客観的になり、診断結果の信頼性を向上できる。
【００１４】
１台の伝送装置１は、接続先の他の伝送装置１（以下、「相手装置」とする）と一芯の光ファイバケーブルで接続するために、相手装置ごとの光モジュール１０を有する。光モジュール１０は、ＷＤＭ方式により光ファイバ一芯で相手装置との双方向通信を可能とする。
例えば、伝送装置１ｂは、伝送装置１ａと接続するための光モジュール１０ａと、伝送装置１ｃと接続するための光モジュール１０ｂとを有している。一方、伝送装置１ａの光モジュール１０ａのように、相手装置と接続されない光モジュール１０ａが存在していてもよい。
【００１５】
図２は、伝送装置および監視装置を示す構成図である。なお、図２では、図１の４台の伝送装置１のうち、伝送装置１ｂを例示して説明するが、他の伝送装置１ａ，１ｃ，１ｄも同じ構成である。伝送装置１ｂは、光モジュール１０ａ，１０ｂに加え、信号処理部２０と、情報伝送部３０とを有する。
【００１６】
まず、光モジュール１０ａの詳細を説明する。ここで、光モジュール１０ａ，１０ｂでは、接続される相手装置はそれぞれ異なるものの、その構成要素は同じである。よって、同じ構成要素（例えば、光合分波器１１）であっても、光モジュール１０ａ内の構成要素を示す符号末尾「ａ」と（例えば、光合分波器１１ａ）、光モジュール１０ｂ内の構成要素を示す符号末尾「ｂ」と（例えば、光合分波器１１ｂ）で表記を区別する。
【００１７】
信号処理部２０は、光モジュール１０ａ，１０ｂ間で、電気信号であるパケットのやりとりを仲介する。
光モジュール１０ａは、光合分波器１１ａと、発光部１２ａと、受光部１３ａと、光レベル測定部１４ａと、記憶部１５ａとを有する。
光合分波器１１ａは、一芯の光ファイバケーブルが接続されるＷＤＭモジュールである。なお、図２では、伝送装置１ｂ内の光合分波器１１ａは、相手装置である伝送装置１ａ内の光合分波器１１ｂと接続され、伝送装置１ｂ内の光合分波器１１ｂは、相手装置である伝送装置１ｃ内の光合分波器１１ａと接続される。
ＷＤＭによって２種類の光の波長を用いて通信を行っているため、光合分波器１１ａではλ１を送信用の波長、λ２を受信用の波長として使用する。光合分波器１１ｂではλ１を受信用の波長、λ２を送信用の波長として用いる。
【００１８】
発光部１２ａは、電気信号として信号処理部２０から受信したパケットｐ１を、光信号λ１に変換して光合分波器１１ａに通知する。
受光部１３ａは、光合分波器１１ａから光信号として受信したパケットλ２を、電気信号ｐ２に変換して信号処理部２０に通知する。
【００１９】
光合分波器１１は、接続される光ファイバケーブルとでやりとりされる２種類の光信号（波長λ１、λ２の光信号）を分波して、λ１の光信号と、λ２の光信号とをそれぞれ取り出す。
λ２の光信号は、光ファイバケーブルから光合分波器１１ａで受信されると、受光部１３ａにより電気信号ｐ２に変換され、信号処理部２０を通過して、発光部１２ｂに伝達される。そして、発光部１２ｂは、受信した電気信号ｐ２をλ２の光信号へと変換し、光合分波器１１ｂを介して、光ファイバケーブルに送信する。
λ１の光信号は、光ファイバケーブルから光合分波器１１ｂで受信されると、受光部１３ｂにより電気信号ｐ１に変換され、信号処理部２０を通過して、発光部１２ａに伝達される。そして、発光部１２ａは、受信した電気信号ｐ１をλ１の光信号へと変換し、光合分波器１１ａを介して、光ファイバケーブルに送信する。
なお、信号処理部２０は、受信した各信号の宛先が自身の伝送装置１であるか否かをパケットヘッダの宛先などを参照して判断し、自身が宛先であるときには、発光部１２への転送を省略する。
【００２０】
光レベル測定部１４ａは、自身の光モジュール１０ａ内の発光部１２ａによる光送信レベル（波長λ１の光信号）と、自身の光モジュール１０内の受光部１３ａによる光受信レベル（波長λ２の光信号）と、をそれぞれ測定する。図２では、光ファイバケーブルで送受信される波長λ１，λ２の光信号（およびその光信号が変換された電気信号）の伝達経路を、実線矢印で示している。
記憶部１５ａは、光レベル測定部１４ａの測定結果を記憶する。図２では、光レベル測定部１４ａの測定結果の伝達経路を、破線矢印で示している。
情報伝送部３０は、監視装置４からの要求により、記憶部１５ａ内に記憶されている測定結果（光レベル情報）を、監視網を介して監視装置４へ送信する。
【００２１】
監視装置４は、情報伝送部４１と、異常個所判断部４２とを有する。
情報伝送部４１は、光ネットワーク通信に異常が発生した場合などの所定契機において、各伝送装置１ａ〜１ｄに対して光レベル情報を要求し、その応答として情報伝送部３０から得た光レベル情報を異常個所判断部４２に通知する。
異常個所判断部４２は、情報伝送部４１を介して収集した情報から光ネットワークシステム上の異常個所を特定する。
【００２２】
以下、伝送装置１ｂと伝送装置１ｃとの間での通信正常時（図３）、および、通信異常時（図４〜図６）のバリエーションを説明する。なお、伝送装置１ｂと伝送装置１ｃとの間での説明は、例示であり、他の相互接続される伝送装置１でも同様である。
【００２３】
図３は、（ケース１）として、正常時の状態を示す説明図である。
図３（ａ）は、伝送装置１ｂ内の光モジュール１０ｂ（信号処理部２０→発光部１２ｂ→光合分波器１１ｂ）から、伝送装置１ｃ内の光モジュール１０ａ（光合分波器１１ａ→受光部１３ａ→信号処理部２０）へ、波長λ２の光信号が伝送される例を示す。
なお、波長λ２の光信号のうち、発光部１２ｂにおける光送信レベルを「λ２ａ」とし、受光部１３ａにおける光受信レベルを「λ２ｂ」とする。この表記は、光信号の波長が変化したのではなく、光レベル測定部１４ａによる光信号のレベルの測定箇所を示す「ａ，ｂ」を、波長の「λ２」の後に付記したものである。
【００２４】
図３（ｂ）は、伝送装置１ｃ内の光モジュール１０ａ（信号処理部２０→発光部１２ａ→光合分波器１１ａ）から、伝送装置１ｂ内の光モジュール１０ｂ（光合分波器１１ｂ→受光部１３ｂ→信号処理部２０）へ、波長λ１の光信号が伝送される例を示す。波長λ２と同様に、発光部１２ａにおける光送信レベルを「λ１ａ」とし、受光部１３ｂにおける光受信レベルを「λ１ｂ」とする。
【００２５】
図４は、（ケース２ａ）として、発光部１２ｂの故障時の状態を示す説明図である。なお、（ケース２ｂ）である発光部１２ａの故障時の状態は、図７で説明する。
（ケース２ａ）では、図３（ａ）の状態から、発光部１２ｂの故障により、光送信レベル「λ２ａ」が異常値になってしまう（図４で「×」の表記）。そして、その異常値の光信号の伝達先（光合分波器１１ｂ→光ファイバケーブル→光合分波器１１ａ→受光部１３ａ→信号処理部２０）も、それぞれ光送信レベルが異常値になってしまう（図４で「×」の表記）。
一方、図３（ｂ）の状態のまま、波長λ１の光信号の信号レベルは正常値として伝送される。正常値であるのは、波長λ１の光信号が発光部１２ｂを通過しないためである。
【００２６】
図５は、（ケース３ｂ）として、受光部１３ｂの故障時の状態を示す説明図である。なお、（ケース３ａ）である受光部１３ａの故障時の状態は、図７で説明する。
（ケース３ｂ）では、図３（ａ）の状態のまま、波長λ２の光信号の信号レベルは正常値として伝送される。正常値であるのは、波長λ２の光信号が受光部１３ｂを通過しないためである。
一方、図３（ｂ）の状態から、受光部１３ｂの故障により、光送信レベル「λ１ｂ」が異常値になってしまうので、電気信号ｐ１を出力できない（図４で「×」の表記）。
【００２７】
図６は、（ケース４）として、光合分波器１１間を接続する光ファイバケーブルの故障時の状態を示す説明図である。
発光部１２ｂにおける光送信レベル「λ２ａ」、および、発光部１２ａにおける光送信レベル「λ１ａ」は正常である。一方、受光部１３ａにおける光受信レベル「λ２ｂ」、および、受光部１３ｂにおける光受信レベル「λ１ｂ」が異常である（図６で「×」の表記）。
【００２８】
図７は、記憶部１５の内容を示す構成図である。記憶部１５には、行要素であるケース（図３〜図６で説明）ごとに、そのケースにおける光レベル値を、列要素である測定対象（発光部１２や受光部１３）ごとに分けて格納される。
例えば、１行目の（ケース１：正常時）では、記憶部１５ｂに格納される発光部１２ｂの光レベル値（λ２ａ）と、記憶部１５ａに格納される受光部１３ａおよび発光部１２ａの光レベル値（λ２ｂ，λ１ａ）と、記憶部１５ｂに格納される受光部１３ｂの光レベル値（λ１ｂ）とが、それぞれ格納されている。
【００２９】
なお、異常個所判断部４２は、光レベル値が、所定の正常範囲（例えば、送信レベルなら、３ｄＢｍ〜−３ｄＢｍの範囲、受信レベルなら、−２ｄＢｍ〜−１０ｄＢｍの範囲）に収まっているなら、その光レベル値を正常値と判断する。
または、異常個所判断部４２は、一つ前の周期にて収集した際の光レベル値と、最新の光レベル値を比較して、それらの光レベル値の差分値が所定閾値を超えたときに、最新の光レベル値を異常値と判定してもよい。
【００３０】
図８は、異常個所判断部４２が実行する異常箇所判断処理を示すフローチャートである。
Ｓ１０１において、情報伝送部４１は、情報伝送部３０から受信した記憶部１５内の光レベル測定結果（図７参照）を受け、その光レベル測定結果を異常個所判断部４２に通知する。
【００３１】
Ｓ１１１〜Ｓ１１４において、異常個所判断部４２は、各発光部１２の異常個所を検知する。異常個所判断部４２は、光レベル値λ２ａが異常値であるときは（Ｓ１１１，Ｙｅｓ）、（ケース２ａ）に該当し、発光部１２ｂの故障を検知する（Ｓ１１２）。異常個所判断部４２は、光レベル値λ１ａが異常値であるときは（Ｓ１１３，Ｙｅｓ）、（ケース２ｂ）に該当し、発光部１２ａの故障を検知する（Ｓ１１４）。
【００３２】
Ｓ１２１〜Ｓ１２５において、異常個所判断部４２は、各受光部１３の異常個所を検知する。この検知方法として、２つの受光部１３の光レベル値のうちの１つの光レベル値が異常値であるとき、その異常値に該当する受光部１３の故障を検知する。
異常個所判断部４２は、光レベル値λ２ｂが異常値であり（Ｓ１２１，Ｙｅｓ）、かつ、光レベル値λ１ｂが異常値でない（Ｓ１２３，Ｎｏ）とき、（ケース３ａ）に該当し、光レベル値λ２ｂの測定先である受光部１３ａの故障を検知する（Ｓ１２５）。
異常個所判断部４２は、光レベル値λ２ｂが異常値でなく（Ｓ１２１，Ｎｏ）、かつ、光レベル値λ１ｂが異常値である（Ｓ１２２，Ｙｅｓ）とき、（ケース３ｂ）に該当し、光レベル値λ１ｂの測定先である受光部１３ｂの故障を検知する（Ｓ１２４）。
【００３３】
Ｓ１３１，Ｓ１３２において、異常個所判断部４２は、発光部１２でも受光部１３でもない構成要素の異常個所を検知する。
異常個所判断部４２は、互いに接続される双方の受光部１３の光レベル値λ１ｂ，λ２ｂが異常値であるとき（Ｓ１２１，Ｙｅｓ→Ｓ１２３，Ｙｅｓ）、（ケース４）として、光ファイバケーブル関連の故障を検知する（Ｓ１３２）。
なお、光ファイバケーブル関連の故障として、光ファイバケーブル自体の断線だけでなく、光ファイバケーブルを挿入するコネクタ部の接触不良や、光合分波器１１の故障の可能性もある。そこで、監視装置４は、Ｓ１３２に該当した伝送装置１に対して、さらなる故障箇所の特定指示を送信してもよい。特定指示を受けた伝送装置１は、自身の構成要素（光合分波器１１など）に対して、生存確認信号を送信し、その応答がなかった構成要素を故障箇所として特定し、その旨を監視装置４に応答する。
【００３４】
一方、異常個所判断部４２は、互いに接続される双方の受光部１３の光レベル値λ１ｂ，λ２ｂが異常値でないとき（Ｓ１２１，Ｎｏ→Ｓ１２３，Ｎｏ）、前記した各ケースに該当しない「その他の故障」として（Ｓ１３１）、監視装置４を操作する保守者に対して、さらなる追加調査を促すメッセージを表示するなどして、監視装置４自身では故障箇所を特定できなかった旨を通知する。
メッセージの例としては、「光モジュール周辺からは故障箇所を特定できませんでした。伝送装置のＣＰＵやメモリなどのハードウェア部品を調査するなど追加調査が必要です。」などである。
【００３５】
以上説明した本実施形態では、監視装置４の異常個所判断部４２が、図７に示す各伝送装置１の光レベル測定データをもとに、図８に示す異常個所判断処理を実行する。これにより、伝送装置１という装置単位ではなく、その装置内の部品単位（あるいは装置間を接続する光ファイバケーブル）という細かい粒度で、故障箇所を特定することができる。
その結果、保守員による故障部品を交換するなどの障害対処作業への負担を軽減することができる。
【００３６】
なお、本発明は前記した実施例に限定されるものではなく、様々な変形例が含まれる。例えば、前記した実施例は本発明を分かりやすく説明するために詳細に説明したものであり、必ずしも説明した全ての構成を備えるものに限定されるものではない。
また、ある実施例の構成の一部を他の実施例の構成に置き換えることが可能であり、また、ある実施例の構成に他の実施例の構成を加えることも可能である。
また、各実施例の構成の一部について、他の構成の追加・削除・置換をすることが可能である。また、上記の各構成、機能、処理部、処理手段などは、それらの一部または全部を、例えば集積回路で設計するなどによりハードウェアで実現してもよい。
また、前記の各構成、機能などは、プロセッサがそれぞれの機能を実現するプログラムを解釈し、実行することによりソフトウェアで実現してもよい。
【００３７】
各機能を実現するプログラム、テーブル、ファイルなどの情報は、メモリや、ハードディスク、ＳＳＤ（Solid State Drive）などの記録装置、または、ＩＣ（Integrated Circuit）カード、ＳＤカード、ＤＶＤなどの記録媒体に置くことができる。
また、制御線や情報線は説明上必要と考えられるものを示しており、製品上必ずしも全ての制御線や情報線を示しているとは限らない。実際にはほとんど全ての構成が相互に接続されていると考えてもよい。
【符号の説明】
【００３８】
１（１ａ〜１ｄ）  伝送装置
４      監視装置（異常判断装置）
１０（１０ａ，１０ｂ）  光モジュール
１１（１１ａ，１１ｂ）  光合分波器
１２（１２ａ，１２ｂ）  発光部
１３（１３ａ，１３ｂ）  受光部
１４（１４ａ，１４ｂ）  光レベル測定部
１５（１５ａ，１５ｂ）  記憶部
２０    信号処理部
３０    情報伝送部
４１    情報伝送部
４２    異常個所判断部
【図１】
2014027574.tif 000003
【図２】
2014027574.tif 000004
【図３】
2014027574.tif 000005
【図４】
2014027574.tif 000006
【図５】
2014027574.tif 000007
【図６】
2014027574.tif 000008
【図７】
2014027574.tif 000009
【図８】
2014027574.tif 000010